(57)【要約】人体の解剖学上の非対称な性質と漏れに対する要求に適応されたパンツ状の吸収性衣類は、着用者の前面側及び後面側に関して非対称となるような、脚開口部の周りに結合された弾性部材間の種々の間隔及び湾曲をもつ。弾性部材の間隔及び湾曲の形は、異なる活動をする着用者の脚の周りの種々の圧力要求に適応するように設計される。結果として得られた衣類は、脚開口部の周りの快適さ、フィット性、及び閉じ込め性が最適化される。
2004505726.tif 000002
【特許請求の範囲】
【請求項１】
前面側及び後面側を有し、第１及び第２脚開口部、ウエスト開口部、並びに前記前面側及び後面側の間の股領域を定める排泄物閉じ込め部と、
吸収性衣類の前記脚開口部の周りに結合された複数の弾性部材と、
を備え、各脚開口部の周りに結合された前記弾性部材の間隔は、脚開口部のまわりにおいて前記前面側及び後面側に関して非対称であることを特徴とする吸収性衣類。
【請求項２】
前記股領域に結合された弾性部材間の間隔は、前記脚開口部の前面側に結合された弾性部材間の間隔より狭いことを特徴とする請求項１に記載の吸収性衣類。
【請求項３】
前記脚開口部の後面側に結合された弾性部材間の間隔は、前記脚開口部の股領域に結合された弾性部材間の間隔より狭いことを特徴とする請求項２に記載の吸収性衣類。
【請求項４】
前記股領域に結合された弾性部材間の間隔は、前記脚開口部の後面側に結合された弾性部材間の間隔より狭いことを特徴とする請求項１に記載の吸収性衣類。
【請求項５】
前記脚開口部の前記前面側に結合された弾性部材間の間隔は、前記脚開口部の股領域に結合された弾性部材間の間隔より狭いことを特徴とする請求項４に記載の吸収性衣類。
【請求項６】
前記脚開口部の前面側に結合された弾性部材間の間隔は、前記脚開口部の後面側に結合された弾性部材間の間隔より狭いことを特徴とする請求項１に記載の吸収性衣類。
【請求項７】
前記脚開口部の後面側に結合された弾性部材間の間隔は、前記脚開口部の前面側に結合された弾性部材間の間隔より狭いことを特徴とする請求項１に記載の吸収性衣類。
【請求項８】
前面側及び後面側を有し、第１及び第２脚開口部、ウエスト開口部、並びに前記前面側及び後面側の間の股領域を定める排泄物閉じ込め部と、
吸収性衣類の前記脚開口部の周りに結合された複数の弾性部材と、
を備え、各脚開口部の周りに結合された前記弾性部材の湾曲は、脚開口部において前記前面側及び後面側に関して非対称であることを特徴とする吸収性衣類。
【請求項９】
前記結合された弾性部材は、前記脚開口部の前面側において、前記脚開口部の後面側より高い湾曲度をもつことを特徴とする請求項８に記載の吸収性衣類。
【請求項１０】
前記結合された弾性部材は、前記脚開口部の後面側において、前記脚開口部の前面側より高い湾曲度をもつことを特徴とする請求項８に記載の吸収性衣類。
【請求項１１】
前面側及び後面側を有し、第１及び第２脚開口部、ウエスト開口部、並びに前記前面側及び後面側の間の股領域を定める排泄物閉じ込め部と、
吸収性衣類の前記脚開口部の周りに結合された複数の弾性部材と、
を備え、各脚開口部の周りに結合された前記弾性部材の間隔と、各脚開口部の周りに結合された前記弾性部材の湾曲は、脚開口部のまわりにおいて前記前面側及び後面側に関して非対称であることを特徴とする吸収性衣類。
【請求項１２】
前記股領域に結合された弾性部材間の間隔は、前記脚開口部の前面側に結合された弾性部材間の間隔より狭いことを特徴とする請求項１１に記載の吸収性衣類。
【請求項１３】
前記脚開口部の後面側に結合された弾性部材間の間隔は、前記脚開口部の股領域に結合された弾性部材間の間隔より狭いことを特徴とする請求項１２に記載の吸収性衣類。
【請求項１４】
前記股領域に結合された弾性部材間の間隔は、前記脚開口部の後面側に結合された弾性部材間の間隔より狭いことを特徴とする請求項１１に記載の吸収性衣類。
【請求項１５】
前記脚開口部の前記前面側に結合された弾性部材間の間隔は、前記脚開口部の股領域に結合された弾性部材間の間隔より狭いことを特徴とする請求項１４に記載の吸収性衣類。
【請求項１６】
前記脚開口部の前面側に結合された弾性部材間の間隔は、前記脚開口部の後面側に結合された弾性部材間の間隔より狭いことを特徴とする請求項１１に記載の吸収性衣類。
【請求項１７】
前記脚開口部の後面側に結合された弾性部材間の間隔は、前記脚開口部の前面側に結合された弾性部材間の間隔より狭いことを特徴とする請求項１１に記載の吸収性衣類。
【請求項１８】
前記結合された弾性部材は、前記脚開口部の前面側において、前記脚開口部の後面側より高い湾曲度をもつことを特徴とする請求項１１に記載の吸収性衣類。
【請求項１９】
前記結合された弾性部材は、前記脚開口部の後面側において、前記脚開口部の前面側より高い湾曲度をもつことを特徴とする請求項１１に記載の吸収性衣類。
【請求項２０】
おむつを含むことを特徴とする請求項１１に記載の吸収性衣類。
【請求項２１】
水着を含むことを特徴とする請求項１１に記載の吸収性衣類。
【請求項２２】
幼児用トレーニングパンツを含むことを特徴とする請求項１１に記載の吸収性衣類。
【請求項２３】
失禁用製品を含むことを特徴とする請求項１１に記載の吸収性衣類。
【発明の詳細な説明】
【０００１】
（技術分野）
本発明は、脚開口部の周りに、着用者の前面側と後面側の間の仮想分割線に関して非対称な間隔及び／又は湾曲の弾性部材を備える、パンツ状のパーソナルケア吸収製品に向けられる。
【０００２】
（背景技術）
成人失禁用衣服、並びに乳児及び幼児用おむつ、水着、及びトレーニングパンツのようなパンツ状の吸収性衣類は、通常は、各々の周りに弾性部分を有する一対の脚開口部を含む。弾性部分は、着用者の脚の周りにぴったりとフィットして衣類からの漏れを防ぐことが意図される。しかしながら、股領域のような脚の周りの或る領域においては、ガスケット効果を高めるために、股から離れた溜め領域のような脚の周りのその他の領域より高い圧力が要求される。さらに、着用者の活動性に応じて、圧力変化の要求は異なる。
【０００３】
例えば、乳児に関しては、股領域は、通常は脚開口部の周りの最も漏れが起こりやすい領域であり、股領域から離れた脚開口部領域は通常は漏れの恐れが少ない。脚開口部の周りに均一な圧力がかかる場合、圧力が高過ぎると、漏れの起こりやすい領域の漏れは防がれるが、高い圧力によって、漏れの起こる恐れの少ない領域に不快感が生じる。同様に、圧力が均一で且つゆるすぎる場合には、漏れの起こりやすい領域にかかる圧力が、これらの領域の漏れを防ぐのに不十分となる。
幼児がうつ伏せで眠るときの夜通しの使用においては、脚の後領域より脚の前領域に漏れが起こりやすい。さらに、着用者の脚が伸展している時の睡眠中の位置においては、脚の後領域においてより一層の快適さが望まれる。
【０００４】
活動している幼児は、乳児又は眠っている幼児とは異なるガスケット効果と快適さを要する。例えば、脚の前領域における圧力が高過ぎる場合、脚の前方移動が妨げられる。同様に、脚を後方に動かす時に、脚の後領域は、より漏れが起こりやすい。
人体の解剖学上の非対称な性質と漏れについての要求に適合するように、脚開口部の周りのフィット性とガスケット効果がカスタマイズされた、吸収性衣類の脚弾性体に対する必要性又は要望がある。
【０００５】
（発明の開示）
弾性部材間の間隔の変化は、圧力及びガスケット効果を最適化することによって、改善された脚開口部の周りの快適さ、フィット性、及び閉じ込め性が与えられるように最適化することが可能なファクタであることが見出されている。より具体的には、こうした最適化は、着用者の前面側と後面側の間の仮想分割面に関して非対称な、脚開口部の周りの弾性部材の間隔及び／又は湾曲度によって達成される。
本発明は、おむつやトレーニングパンツのようなパンツ状の吸収性衣類の脚開口部の周りのフィット性及びガスケット効果をカスタマイズすることに向けられる。結果として得られる衣類は、脚開口部の周りに、着用者の前面側と後面側に関して非対称となるような種々の間隔及び湾曲度の弾性部材を備える。この間隔及び湾曲度は、最大の快適さを維持しながら最大限の漏れの防護を与えるように、着用者の活動レベルに応じてカスタマイズされる。
【０００６】
本発明は、弾性部材を吸収性衣類の脚開口部に適用する際に、個々の弾性部材間の間隔を変化させることにより達成される。或いは、本発明は、弾性部材を脚開口部に適用する際に、弾性部材の湾曲を変化させることにより達成される。さらに、本発明は、弾性部材を脚開口部に適用する際に、個々の弾性部材間の間隔と、弾性部材の湾曲度を変化させることにより達成される。
カスタマイズされた間隔及び湾曲度は、着用者の脚の周りの快適さとガスケット状のフィットを向上させるために、人体の解剖学上の非対称な性質と漏れについての要求に適合される。したがって、結果として得られた吸収性衣類の弾性部材の間隔及び湾曲度は、着用者の身体の前後に関して非対称となる。さらに、漏れの起こりやすい領域においてより良好なガスケット効果（良好に漏れを防ぐ）が与えられ、漏れの起こる恐れが少ない領域においては、快適さを高めるために低いガスケット圧が与えられる。
【０００７】
上記のことを考慮に入れると、本発明の特徴及び利点は、吸収性衣類の脚開口部の周りに弾性部材のカスタマイズされた間隔及び湾曲度を与え、その結果、快適さ、フィット性、及び閉じ込め性といった脚弾性体の最適化された性能が得られることである。
【０００８】
（定義）
本明細書の内容において、以下の各用語及び句は、以下の１つ又はそれ以上の意味を有する。
「前面」とは、着用者の身体の前方の位置、すなわち腹面を指す。
「非対称」とは、分割線又は面の両側において、形状及び構成形態が正確に対応しないことを指す。
「結合される」とは、２つの要素を接合する、接着する、接続する、取り付けること等を指す。互いに直接に、又は各々が介在する要素に直接結合される場合のように互いに間接的に結合される場合に、２つの要素が互いに結合されると考えられる。
「接続される」とは、２つの要素を接合する、接着する、結合する、取り付けること等を指す。互いに直接に、又は各々が介在する要素に直接接続される場合のように互いに間接的に接続される場合に、２つの要素が互いに接続されると考えられる。
【０００９】
「使い捨て」とは、再使用するために洗濯されるか又は他の手法により復旧されるのではなく、制限された使用の後に廃棄されるように設計される物品を指す。
「配置される」「設置される」その他これに類するものは、或る要素が他の要素と一体化されること、すなわち或る要素は、別の要素に結合された、又は別の要素に置かれた、或いは別の要素の付近に置かれた、別の構造体とされることを意味する。
「弾性の」、「弾性を付与された」及び「弾性」とは、変形を生じさせる力を除いた後に、元の寸法及び形状に戻る傾向があるという材料又は複合材の特性を意味する。
【００１０】
「エラストマーの」とは、弛緩状態のときの長さの少なくとも２５パーセントまで伸びることができ、適用された力が解除されると、その伸びの少なくとも１０パーセントまで回復する材料又は複合材を指す。一般に、エラストマー材料又は複合材は、弛緩状態のときの長さの少なくとも１００パーセント、より好ましくは少なくとも３００パーセントまで伸びることができ、適用された力が解除されると、その伸びの少なくとも５０パーセントまで回復することが好ましい。
「フィルム」とは、キャストフィルム又はブローフィルム押出工程等のようなフィルム押出及び／又は発泡成形工程を用いて作られる熱可塑性フィルムを指す。この用語は、穿孔されたフィルム、スリットの入ったフィルム、及び液体透過性フィルムを構成するその他の多孔質フィルム、並びに液体不透過性のフィルムを含む。この用語はまた、連続気泡発泡体として存在するフィルム状の材料も含む。
【００１１】
「力」とは、或る物体によって別の物体に及ぼされた、自由に動く物体の加速や、自由に動かない物体の変形又は分離を生じる物理的作用を含む。
「親水性の」とは、繊維に接触する水性液体によって湿潤される繊維又は繊維の表面を表す。材料の湿潤度は、関係する液体と材料の接触角及び表面張力によって説明することができる。特定の繊維材料又は繊維材料の配合物の湿潤性を測定するのに適した装置及び技術は、Ｃａｈｎ　ＳＦＡ−２２２表面張力分析器システム又はこれと実質的に同等なシステムによって与えられる。このシステムで測定する場合には、９０度より小さい接触角を有する繊維は「湿潤性」すなわち親水性を示し、９０度より大きい接触角を有する繊維は「非湿潤性」すなわち疎水性を示す。
【００１２】
「層」は、単独で用いられる場合には、単一の要素又は複数の要素の２つの意味を持つことができる。
「脚弾性体」は、弾性バンド、ストランド、リボン、フィラメント、フィラメントの束などを含み、これらは着用者の脚を受け入れる衣類の開口部に隣接する。
単層又は多層ラミネートを説明するのに用いられる場合の「液体不透過性」とは、通常の使用条件では尿などの液体が液体接触点において層又はラミネートの平面にほぼ垂直な方向に層又はラミネートを通過しないことを意味する。液体すなわち尿は、液体透過性の層又はラミネートの平面に平行に広がるすなわち移送されるが、これはここで使用される場合の「液体透過性」の意味に含まれるとは考えない。
【００１３】
「液体透過性の材料」又は「液体透水性の材料」とは、フィルム、不織布、又は連続気泡発泡体のような、１つ又はそれ以上の層の中に存在する材料のことを指し、該材料は、多孔質であり、かつ水及び他の水性液体が孔を通り抜けて流出することから透水性である。フィルム又は発泡体の孔、或いは、不織ウェブの繊維又はフィラメントの間の隙間は、液状の水が材料を通り抜けて漏れ、流れるようにするのに充分に大きくかつ充分多いものである。
「縦方向」及び「横方向」は、図３に示される縦方向軸線及び横方向軸線によって表されるような慣習的な意味を有する。縦方向軸線は、物品の平面内に延び、かつ物品の着用時に起立している着用者を右半身及び左半身に二分する垂直面にほぼ平行である。横方向軸線は、縦方向軸線にほぼ垂直な物品の平面内に延びる。図示される物品は、横方向よりも縦方向に長い。
【００１４】
「メルトブロー繊維」とは、溶融した熱可塑性材料を、複数の微細な、通常は円形のダイ毛細管を通じて、収束する高速高温ガス（例えば空気）流の中へ溶融糸又はフィラメントとして押し出し、熱可塑性材料のフィラメントがガス流によって細められ、直径が、マイクロファイバーの直径にまで縮小されることにより形成される小直径の繊維を意味する。その後、メルトブロー繊維は、高速ガス流により運ばれ、集積面に堆積されて、不規則に分散されたメルトブロー繊維のウェブを形成する。このような工程は、例えば、ビューティン他に付与された米国特許第３，８４９，２４１号に開示されている。メルトブロー繊維は、連続的又は非連続的なマイクロファイバーであり、一般的には約０．６デニール以下であり、集積面に堆積されるときには、通常は自己結合する。本発明で用いるメルトブロー繊維は、好ましくは、長さにおいてほぼ連続的である。
【００１５】
「部材」は、単独で用いられる場合には、単一の要素又は複数の要素の２つの意味を持つことができる。
「不織」又は「不織ウェブ」という用語は、織物の製織又は編成工程の助けを借りずに形成された材料、及び材料のウェブを指す。
「作動的に取り付けられる」とは、弾性部材の別の要素への取り付けに関しては、弾性部材が伸ばされて要素に取り付られた又は接続された時、或いは熱又は化学物質で処理された時などに、該要素に弾性特性が与えられることを意味し、非弾性部材の別の要素への取り付けに関しては、該部材と該要素が、意図されたすなわち記載された複合体の機能を果たすことを許す又は許容する好適な手法のいずれかで取り付けられることを意味する。接合すること、取り付けること、接続することなどは、どちらかの部材を要素に直接接合することのように直接にすることもできるし、第１部材と第１要素との間に配置された別の部材によって間接的にすることもできるし、第１部材により複合体が第１部材の特性を呈するように、第１要素の隣接する結合点によって第１部材が機械的に取り付けられるようにすることもできる。
【００１６】
「恒久的に結合される」とは、吸収性衣類の通常の使用条件下において要素が結合された状態のまま維持されるように、吸収性衣類の２つの要素を接合する、接着する、接続する、取り付けること等を指す。
「ポリマー」とは、単独重合体と、例えば、ブロック共重合体、グラフト共重合体、ランダム共重合体、及び交互共重合体、三元共重合体等のような共重合体と、それらの配合物及び変成物を含むが、これらに限られるものではない。さらに、特に限定されていない限り、「ポリマー」という用語は、材料の可能性のある全ての幾何学的形状を含む。これらの形状は、これらに限られるものではないが、アイソタクチック対称、シンジオタクチック対称、及びアタクチック対称を含む。
「後面」とは、着用者の身体の後方の位置、すなわち背面を指す。
「圧力」は、ガスケット効果を与えるために着用者の肌に適用される際の、単位面積当たりの力として定義される。
【００１７】
「スパンボンド繊維」とは、溶融した熱可塑性材料を、円形又はその他の形状を有する紡糸口金の複数の微細な毛細管からフィラメントとして押し出し、次いで、押し出されたフィラメントの直径を、例えば、それぞれの全部を引用によりここに組み入れる、アッペル他に付与された米国特許第４，３４０，５６３号、ドーシュナー他に付与された米国特許第３，６９２，６１８号、マツキ他に付与された米国特許第３，８０２，８１７号、キニーに付与された米国特許第３，３３８，９９２号及び３，３４１，３９４号、ハートマンに付与された米国特許第３，５０２，７６３号、ピーターセンに付与された米国特許第３，５０２，５３８号、及びドーボー他に付与された米国特許第３，５４２，６１５号におけるように、急速に縮小することにより形成される小直径の繊維を指す。スパンボンド繊維は、集積面に堆積される際に急冷され、通常は粘着性がない。スパンボンド繊維は、ほぼ連続しており、しばしば約０．３ミクロン以上、より具体的には、約０．６から１０ミクロンの間の平均デニールを有する。
【００１８】
「伸ばすことができる」とは、破れることなく少なくとも一方向に、少なくとも５０％（最初の（伸ばされていない）長さの１５０％まで）、好適には少なくとも１００％（最初の長さの２００％まで）、望ましくは少なくとも１５０％（最初の長さの少なくとも２５０％まで）伸ばすことができる材料を意味する。
「表面」は、空気、気体及び／又は液体を透過させる又は透過させないあらゆる層、フィルム、織布、不織布、ラミネート、複合材などを含む。
「張力」は、物体を伸張させる傾向がある一軸の力、又は該伸張に対抗する物体内の釣合い力を含む。
「熱可塑性」とは、高温に曝された時に軟化し、室温まで冷却された時には実質的に元の状態に戻る材料のことを指す。
これらの用語は、本明細書の残りの部分において付加的な言葉で定義され得る。
【００１９】
（発明を実施するための最良の形態）
本発明は、一対の脚開口部の周りに、非対称な間隔及び／又は湾曲度の弾性部材を備える、パンツ状の吸収性衣類に向けられる。この間隔及び／又は湾曲度は、着用者の前面側と後面側との間の仮想分割線に関して非対称である。より具体的には、衣類の前面側か又は後面側のいずれかにおいて間隔がより狭くされ、これと反対側では間隔がより広くされることによって、着用者の活動レベルに応じて脚開口部の周りに最適な快適さ、フィット性、及び閉じ込め性が与えられる。
本発明の原理は、どんな好適な使い捨て吸収性物品にも組み入れることができる。こうした好適な物品の例は、おむつ、トレーニングパンツ、婦人用衛生製品、失禁用製品、その他のパーソナルケア又はヘルスケア衣類などを含む。ここで用いられる「失禁用製品」という用語は、幼児用吸収性下着、幼児用、或いは自閉症児又は身体の障害により膀胱／腸の調節機能に問題をもつその他の人などの特別ニーズがある若い成人用の吸収性衣類、並びに高齢者の失禁用の吸収性衣類を含む。説明を簡略化するために、以下の説明は、幼児用トレーニングパンツについてなされる。
【００２０】
図１及び図２を参照すると、それぞれ、部分的に締結された状態と、締結された状態の、トレーニングパンツ２０のような使い捨て吸収性物品が示されている。トレーニングパンツ２０は、吸収性シャーシ３２と、脚弾性部材５８を含む。吸収性シャーシ３２は、前面側２２、後面側２４、前面側と後面側を相互に接続する股領域２６、着用者に接するように構成された内面２８、及び、着用者の衣服に接するように構成された、内面と反対側の外面３０を定める。さらに図３を参照すると、吸収性シャーシ３２はまた、一対の横方向に相対する側縁３６と、前ウエスト縁３８及び背ウエスト縁３９を表す一対の縦方向に相対するウエスト縁を定める。前面側２２は前ウエスト縁３８と一続きであり、後面側２４は背ウエスト縁３９と一続きである。前面側２２と後面側２４との間の仮想分割面は、図２の破線２０１及び２０２で示されるように衣類の左側中央から衣類の右側中央まで延び、それにより図３の破線２０３で示されるように衣類を半分に分割する。脚弾性体の非対称的な特徴（後述する）は、線２０１及び２０２を含みかつ線２０３に沿って衣類を二分する平面に関して決定される。
【００２１】
図示された吸収性シャーシ３２は、やや長方形の複合構造体３３と、一対の横方向に相対する前面側部パネル３４と、一対の横方向に相対する背側部パネル１３４とを含む。複合構造体３３と側部パネル３４及び１３４は、一体に成形してもよいし、図１から図３に示すように、２つ又はそれ以上の別個の要素を含んでいても良い。図示された複合構造体３３は、外側カバー４０、外側カバーに重なる状態に取り付けられた身体側ライナ４２、外側カバー４０と身体側ライナ４２との間に配置された吸収組立体４４、及び一対の閉じ込めフラップ４６を含む。長方形の複合構造体３３は、前ウエスト縁３８及び背ウエスト縁３９の一部を成す相対する直線状の端縁４５と、吸収性シャーシ３２の側縁３６の一部を成す相対する直線状の側縁４７を有する。脚開口部５２（図１及び図２）は、股領域２６における横方向に相対する側縁３６の部分によって概ね定められる。
参照のために、図３には、それぞれトレーニングパンツ２０の縦方向軸線と横方向軸線の向きを示す矢印４８及び４９が示されている。
【００２２】
脚弾性部材５８は、相対する縁３６に沿って外側カバー４０及び／又は身体側ライナ４２に作動的に接合され、漏れを防ぐためにトレーニングパンツ２０の股領域２６に位置決めされる。側部パネル３４及び１３４が存在する場合には、脚弾性部材５８は、通常は、側部パネル３４及び１３４で覆われていない脚開口部５２の部分を取り囲むが、前面側２２の一部、股領域２６、及び後面側２４の一部を依然として包囲する。ここで用いられる「股領域」という用語は、着用者の脚の間に位置する衣類２０の領域を指す。上述のように、図３の破線２０３は、前面側２２と後面側２４との間の境界を表す。「前領域」という用語は、着用者の脚の前に位置する衣類２０の領域を指す。同様に、「後領域」という用語は、着用者の脚の後ろに位置する衣類２０の領域を指す。脚開口部５２の前領域７４は前面側２２上に位置する。同様に、脚開口部５２の後領域７６は後面側２４上に位置する。着用者の脚の前（すなわち、脚開口部５２の前領域７４を含む前面側２２）に位置する衣類２０の領域と、着用者の脚の後ろ（すなわち、脚開口部５２の後領域７６を含む後面側）に位置する衣類２０の領域と、着用者の脚の外側の部分は、股領域２６から離れている、すなわち股領域の外側にあるとみなされる。
【００２３】
通常は、吸収性衣類２０の股領域２６においては、漏れに対する防護を与えるためにガスケット状の高い圧力が望ましく、股領域２６から離れた脚開口部５２の前領域７４及び／又は脚開口部５２の後領域７６においては、快適さを高めるために多くの場合は圧力が低めであることが望ましい。しかしながら、活動性が異なると圧力要求も異なり、したがって、着用者の前面側と後面側の間の仮想分割線に対して非対称である最適な間隔が与えられる。例えば、着用者がうつ伏せで眠っている時には、前領域における漏れの起こり易さに対抗するために、前領域７４には高めの圧力が適しており、後領域７６においては、漏れの恐れが少ない該領域に大きな快適さを与えるために低めの圧力が適している。したがって、着用者の睡眠中に使用するのに適した吸収性衣類２０は、図３に示すように、脚開口部５２の前領域７４においてはガスケット圧を高めるために間隔が狭く、脚開口部５２の後領域７６においては快適さを高めるために間隔が広いといった非対称な間隔をもつことが好ましい。脚開口部５２の周りの脚弾性部材５８の湾曲度は、後領域７６における湾曲度より前領域７４における湾曲度が高いという人体の前面側と後面側に関して対称でない形に適応するように形付けられることが好ましい。
【００２４】
活動している幼児には、乳児や眠っている幼児とは異なるガスケット効果及び快適さが求められる。脚開口部５２の前領域７４における圧力を減らすことにより、脚に集中する圧力が低下し、これにより脚を前方に動かし易くなる。脚開口部５２の後領域７６における脚弾性体５８からの圧力が高いことにより、脚を後方に動かすときに大きいガスケット圧が与えられる。したがって、活動的な着用者が使用するのに適した吸収性衣類２０は、図３に示すように、動き易くするため脚開口部５２の前領域７４において広めの間隔をもち、ガスケット圧を高めるため脚開口部５２の後領域７６において狭めの間隔をもつ。ここでも同様に、脚開口部５２の周りの脚弾性部材５８の湾曲度は、後領域７６における湾曲度より前領域７４における湾曲度が高いという人体の前面側と後面側に関して対称でない形に適応するように形付けられることが好ましい。
【００２５】
隣接する部材間の狭めの間隔は、必ずしもそうである必要はないが、０から０．２５ｃｍの範囲であることが好ましい。隣接する部材間の中程度の間隔は、０．２６ｃｍから０．５０ｃｍであることが好ましい。隣接する部材間の広めの間隔は、必ずしもそうである必要はないが、０．５１ｃｍから１．５ｃｍの範囲であることが好ましい。「狭め」及び「広め」の間隔という用語は、相対的な、互いに対して決定されたものであるので、正確な寸法範囲に限定されない。一般に、広めの間隔の領域は、狭めの間隔の領域より部材間で少なくとも１０％多い距離をもつべきである。間隔の差は、好ましくは少なくとも２０％であるべきであり、より好ましくは少なくとも５０％であるべきである。
【００２６】
本発明を実施するための装置の一例は、図４及び図５に概略的に示されている。装置３は、弾性ガイド開口１７をもつ一対のピボットアーム１８を含む。ピボットアーム１８は、図５に最も良く示されるように、基体が一対のニップロール１４及び１５を通して機械方向（図４−図９の矢印で示される）に送られる際に、基体１３にほぼ平行な平面内にあることが好ましい。弾性ガイド開口１７は、ピボットアーム１８の各々のピボット点１６から異なる半径だけ離間される。弾性ガイド開口１７は、必ずしもそうである必要はないが、各ピボットアーム１８上の列１９において互いからほぼ均等に離間されることが好ましい。脚弾性部材５８は、弾性ガイド開口１７を通して送られ、次いで、ピボットアーム１８が弾性部材５８を基体１３の外縁３７か又は股領域２６に向けて導き、弾性部材５８がニップロール１４及び１５の対を通して機械方向（矢印で示される）に送られる際に、基体１３に結合される。或いは、ピボットアーム１８は、基体１３に対して平行な角度から垂直な角度までの間の平面内にピボット運動することができる。ここで用いられる「機械方向」という用語は、製造工程中に連続的に移動される層が移動する主要な方向である。同様に、「機械横方向」という用語は、機械方向に対してほぼ法線の方向を指す。
【００２７】
ピボットアーム１８上の各弾性ガイド開口１７は、個々の脚弾性部材５８を案内することが好ましい。ピボットアーム１８がピボット運動する際に、弾性部材の間隔は、アーム１８が或る方向に移動するに伴い広くなり、それと反対方向にアーム１８が移動するに伴って狭くなる。間隔の変化は、弾性ガイド開口１７の移動によって生じる。例えば、或るピボットアーム１８上の弾性ガイド開口１７が、機械方向にほぼ垂直な列１９として位置合わせされる時に、弾性部材５８間の間隔は最大幅となる。同様に、列１９が機械方向に対して平行に近づくにつれて、間隔が狭くなる。基体１３がニップロール１４及び１５の対を通過するのに先立って機械方向に移動する際に、同様に機械方向に基体１３の外縁３７に沿って、外縁の付近に、又は外縁の間に脚弾性部材５８が結合される。脚型２７は、基体１３の外縁３７に沿って予め裁断しても良いし、結合工程の後に脚弾性部材５８の形状に沿って裁断しても良い。脚弾性部材５８が基体１３に結合される領域は、最終的に脚開口部５２を形成する（図１及び図２）。
【００２８】
ピボット点１６と、各弾性部材に対する弾性ガイド開口１７の機械方向の位置と、弾性ガイド開口１７の機械横方向の位置との組合せにより、脚弾性部材５８の独特な形、好ましくは着用者の脚の周り全てに理想的なフィットを与える独特な形を与えることができる。例えば、結果として得られる吸収性衣類２０は、脚開口部５２の後領域７６にわたって狭い間隔をもち、股領域２６において中程度の間隔をもち、脚開口部５２の前領域７４にわたって広い間隔をもつことができ、これにより、狭い間隔をもつ領域には、より高いガスケット圧（漏れを良好に防ぐ）が与えられ、広い間隔をもつ領域には、快適さを高めるため低いガスケット圧が与えられる。同様に、本発明の製品の別の例は、脚開口部５２の前領域７４にわたって狭い間隔をもち、股領域２６において中程度の間隔をもち、衣類２０の前面におけるガスケット力を高める（漏れを良好に防ぐ）ために、脚開口部５２の後領域７６にわたって広い間隔をもつ吸収性衣類２０である。股領域２６から離れた溜め領域間の過渡的間隔は、快適さ、フィット性及び閉じ込め性が与えられるように製品の前と後ろの間でカスタマイズされる。これらの領域は、脚の周り全てに理想的なフィットを与える製品上のどんな形にもカスタマイズすることができる。
【００２９】
本発明を実施するための装置の別の例は、図６及び図７に概略的に示されている。図４及び図５の装置３と同様に、この装置３は、各々のピボット点１６から異なる半径だけ離間された弾性ガイド開口１７をもつ一対のピボットアーム１８を含む。基体がニップロール１４及び１５の対を通して送られる際に基体１３にほぼ平行な平面内にピボット運動するピボットアーム１８の代わりに、この装置は、基体がニップロール１４及び１５の対を通して送られる際に基体１３にほぼ垂直な平面内にピボット運動するように配置されたピボットアーム１８を備える。結果として得られた吸収性衣類２０は、股領域２６において狭い間隔をもち、股領域２６から離れた領域において広い間隔をもち、狭い領域と広い領域の間のどこかに過渡的間隔をもつ。
【００３０】
本発明を実施するための装置のさらに別の例は、図８及び図９に概略的に示されている。この装置３は、各々が回転ピボットガイド６２を備える一対の直線的なアーム６０を含む。直線的なアーム６０は、一対のニップロール１４及び１５を通して基体が送られる際に基体１３にほぼ垂直な平面内に横方向にスライドするように位置決めされる。直線的なアーム６０は、横方向に移動し、基体１３の機械方向に垂直な機械横方向に直線運動する。図８において、機械方向は矢先が１つの矢印で示され、機械横方向は矢先が２つの矢印で示される。回転ピボットガイド６２は、脚弾性部材５８を互いから離間することができる個々の弾性ガイド開口１７を備える。ベルト６４が、一端において回転ピボットガイド６２の周りにラップされ、これと反対側の端において固定のピボット点１６の周りにラップされる。直線的なアーム６０が前後に移動する際に、ベルト６４は、固定のピボット点１６の周りでは定位置にとどまるが、回転ピボットガイド６２を滑車のように回転させて、弾性ガイド開口１７の列１９の位置合わせをずらす。或いは、ベルト６４の代わりに、カムシステムや、回転ピボットガイドに連接棒で取り付けられたばねのようなその他の適切な回転装置を使用しても良い。
【００３１】
弾性ガイド開口１７が、機械方向に対して垂直な横列１９として位置合わされるときに、脚弾性部材５８は最大距離まで離間される。ピボットガイド６２が、破線で示されるように、ピボット運動し、かつ時計回りに又は反時計回りに回転するときに、弾性ガイド開口１７の列１９の機械方向に対する角度は、脚弾性部材５８が基体１３に結合される際の脚弾性部材５８間の間隔を定める。より具体的には、弾性ガイド開口１７が、股領域２６に向けてピボット運動し、かつ回転するときに、ガイド開口１７は、機械方向に対して０°から９０°までの間の列１９として位置合わせされる。列１９と機械方向のなす角度が９０°に近いときに、脚弾性部材５８は比較的広く離間される。同様に、列１９と機械方向が平行に近い、すなわち０°に近いときには、脚弾性部材５８間の間隔は比較的狭い。
【００３２】
機械横方向の直線運動と、直線的なアーム６０上のガイド６２の機械横方向のピボット運動との組み合わせにより、脚弾性部材５８が基体１３に結合される際に脚弾性部材５８の独特な形が与えられる。結果として得られた吸収性衣類２０は、股領域２６において狭い間隔をもち、股領域２６から離れた領域において広い間隔をもち、狭い間隔と広い間隔との間に過渡的な間隔をもち、このため、股領域２６においては、閉じ込めのためにガスケット圧が高いことにより着用者の脚の周りにカスタマイズされたフィット性が与えられ、脚の周りのその他の領域においては、ガスケット圧が低いことにより快適性が与えられる。
【００３３】
脚弾性部材５８に様々な弾性材料を使用することができる。当業者には良く知られているように、好適な弾性材料は、天然ゴム、合成ゴム、又は熱可塑性エラストマーポリマーのシート、ストランド又はリボンを含む。弾性材料を、伸ばして基体に接着するか又はギャザーを寄せた基体に接着するか、或いは基体に接着し、次いで例えば熱を加えることによって、基体に弾性の収縮力を付与することができる。結合装置１１は、図５、図７及び図９に概略的に示されている。特定の実施形態の１つにおいては、脚弾性部材５８は、例えば、米国デラウェア州ウィルミントン所在のＥ．Ｉ．ＤｕＰｏｎｔ　ｄｅ　Ｎｅｍｏｕｒｓ　ａｎｄ　Ｃｏｍｐａｎｙから入手可能な、ＬＹＣＲＡ（登録商標）という商品名で販売される、複数の乾紡合体多繊維スパンデックス・エラストマー糸を含む。
脚弾性部材５８は、好ましくは約０．０５インチから約３インチまで、より好ましくは約０．１５インチから約１．５インチまで、最も好ましくは約０．２５インチから約１．０インチまでのの幅をもつ。脚弾性部材５８は、好ましくは２５−３５０％、より好ましくは約３０−２６０％、最も好ましくは約３５−２００％の最大伸長をもつ。
【００３４】
基体１３は、外側カバー４０であることが好ましく、望ましくは実質的に液体不透過性の材料であり、弾性、伸張性、又は非伸張性とすることができる。外側カバー４０は、液体不透過性材料の単一層とすることができるが、層の少なくとも１層が液体不透過性である多層ラミネート構造を含むことが望ましい。例えば、外側カバー４０は、ラミネート接着剤（図示せず）で互いに適切に接合される液体透過性の外側層と液体不透過性の内側層を含むことができる。ビード、スプレー、平行スワールなどとして連続的に又は断続的に適用可能な、好適なラミネート接着剤は、米国ウィスコンシン州ウォーワトサ所在のＦｉｎｄｌｅｙ　Ａｄｈｅｓｉｖｅｓ社や、米国ニュージャージー州ブリッジウォーター所在のＮａｔｉｏｎａｌ　Ｓｔａｒｃｈ　ａｎｄ　Ｃｈｅｍｉｃａｌ社から入手することができる。液体透過性の外側層は、どんな適した材料にすることもでき、ほぼ布のような感触を与える材料であることが望ましい。こうした材料の一例は、２０ｇｓｍ（グラム毎平方メートル）のスパンボンド・ポリプロピレン不織ウェブである。外側層はまた、液体透過性の身体側ライナ４２を作成する材料で作成することもできる。外側層は必ずしも液体透過性である必要はないが、着用者に比較的布のような感触を与えることが望ましい。
【００３５】
外側カバー４０の内側層は、液体不透過性かつ蒸気不透過性とすることもできるし、液体不透過性かつ蒸気透過性とすることもできる。内側層は、薄いプラスチックフィルムから製造されることが望ましいが、その他の可撓性のある液体不透過性の材料を用いても良い。内側層又は液体不透過性の外側カバー４０が単一層であるときには、ベッドシーツ及び衣服、並びに着用者及び介護人が排出物で濡れることを防ぐ。液体不透過性の内側層、又は単一層の液体不透過性の外側カバー４０として用いるのに適した液体不透過性フィルムは、米国バージニア州ニューポートニューズのＨｕｎｔｓｍａｎ　Ｐａｃｋａｇｉｎｇから市販されている０．０２ｍｍのポリエチレンフィルムである。外側カバー４０が材料の単一層である場合には、より布のような外観を与えるために、エンボス加工及び／又はマット仕上げすることができる。すでに説明したように、液体不透過性の材料は、液体が外側カバー４０を通り抜けないようにしながら、使い捨て吸収性物品の内部から蒸気を逃がすことができる。適した「通気性の」材料は、所望のレベルの液体不透過性を付与するために被覆されるか又は他の方法で処理された、微孔性ポリマーフィルムか又は不織布から構成される。適した微孔性フィルムは、東京の三井東圧化学から市販されているＰＭＰ−１フィルム材料、又はミネソタ州ミネアポリスの３Ｍ社から市販されているＸＫＯ−８０４４ポリオレフィンフィルムである。
【００３６】
上述のように、脚弾性部材５８は、外側カバー４０及び／又は身体側ライナ４２に結合することができる。図５、図７及び図９は、外側カバー４０と身体側ライナ４２に同時に結合される脚弾性部材５８を示す。この実施形態においては、脚弾性部材５８は、外側カバー４０と身体側ライナ４２との間に本質的に挟まれる。
液体透過性の身体側ライナ４２は、外側カバー４０と吸収組立体４４に重なるように図示されており（図３）、必ずしもそうである必要はないが、外側カバー４０と同じ寸法をもつことができる。身体側ライナ４２は、応従性があり、柔軟な感触で、幼児の肌に刺激を与えないものであることが望ましい。さらに、身体側ライナ４２は、着用者に比較的乾いた表面を提供し、かつ液体がその厚みを通して直ちに浸透できるように、吸収組立体４４より親水性の低いものにすることができる。
【００３７】
身体側ライナ４２は、合成繊維（例えば、ポリエステル又はポリプロピレン繊維）、天然繊維（例えば、木材又は綿繊維）、天然繊維と合成繊維の組合せ、多孔質発泡体、網状発泡体、穿孔プラスチックフィルムなどのようなウェブ材料の幅広い選択肢から製造することができる。身体側ライナ４２に種々の織布及び不織布を使用することができる。例えば、身体側ライナは、ポリオレフィン繊維のメルトブローンウェブ又はスパンボンデッドウェブから構成することができる。身体側ライナはまた、天然及び／又は合成繊維から構成されるボンデッドカーデッドウェブとすることもできる。身体側ライナは、実質的に疎水性の材料から構成することができ、疎水性材料は、所望のレベルの湿潤性及び親水性を付与するために、随意的に界面活性剤で処理するか又は他の方法で処理することができる。例えば、この材料は、Ｒｏｈｍ　ａｎｄ　Ｈａａｓ　Ｃｏ．からＴｒｉｔｏｎ　Ｘ−１０２という商品名で市販されている約０．２８重量％の界面活性剤で表面処理することができる。界面活性剤は、スプレーすること、プリントすること、ブラシコーティングすることなどの従来の方法のいずれによっても適用可能である。界面活性剤は、身体側ライナ４２全体に適用してもよいし、縦方向中心線に沿った中間部のような身体側ライナの特定の部分に選択的に適用してもよい。
【００３８】
適した液体透過性の身体側ライナ４２は、約２７ｇｓｍの坪量を持つ不織２成分ウェブである。不織２成分ウェブは、スパンボンド２成分ウェブか、又はボンデッドカーデッド２成分ウェブとすることができる。適した２成分ステープル繊維は、大阪のＣＨＩＳＳＯ社から入手可能なポリエチレン／ポリプロピレン２成分繊維を含む。この特定の２成分繊維では、ポリプロピレンが芯を構成し、ポリエチレンが繊維の鞘を構成する。マルチローブ、サイド−バイ−サイド、エンド−ツ−エンドなどのような他の繊維配向も可能である。外側カバー４０と身体側ライナ４２はエラストマー材料を含むことができるが、幾つかの実施形態においては、外側カバー、身体側ライナ、及び吸収組立体が全体としてエラストマーではない場合に、複合構造体が全体として非弾性となることが望ましい。
【００３９】
外側カバー４０と身体側ライナ４２との間に吸収組立体４４（図３）が配置され、該組立体の構成材は、当業技術分野でよく知られる接着剤などの適した手段によって互いに接合することができる。吸収組立体４４は、全体的に圧縮可能で、順応性があり、着用者の皮膚に刺激を与えないとともに、液体及びある種の体外排泄物を吸収して保持することが可能などんな構造であってもよい。吸収組立体４４は、様々な寸法及び形状に製造することができ、また、当業技術分野で一般に使用される種々の液体吸収性材料から製造することができる。例えば、吸収組立体４４は、超吸収体材料として一般に知られる高吸収性材料の粒子と混合されたセルロースフラフのウェブのような親水性繊維マトリックスを適切に含むことができる。特定の実施形態では、吸収組立体４４は、木材パルプフラフのようなセルロースフラフのマトリックスと、超吸収性のヒドロゲル形成粒子とを含む。木材パルプフラフは、合成ポリマーのメルトブローン繊維か、又はメルトブローン繊維と天然繊維との混合物に置き換えることができる。超吸収性粒子は、親水性繊維と実質的に均一に混合することもできるし、又は不均一に混合することもできる。フラフと超吸収性粒子はまた、体外浸出物をより良好に収容し及び吸収するために、吸収組立体４４の所望の区域に選択的に配置することができる。また、超吸収性粒子の濃度は、吸収組立体４４の厚みにわたって変えることができる。或いは、吸収組立体４４は、繊維ウエブと超吸収性材料のラミネート、又は超吸収性材料を局所的な領域に保持する他の適切な手段を含むこともできる。
【００４０】
適した超吸収性材料は、天然、合成、及び修飾天然ポリマー及び材料から選択することができる。超吸収性材料は、シリカゲルのような無機材料であってもよいし、架橋ポリマーのような有機化合物であってもよい。適した超吸収性材料は、米国ミシガン州ミッドランドにあるＤｏｗ　Ｃｈｅｍｉｃａｌ社や、ドイツ連邦共和国クレーフェルトＤ−４７８０５のＳｔｏｃｋｈａｕｓｅｎ社のような種々の販売供給業者から入手可能である。超吸収性材料は、典型的には自重の少なくとも約１５倍の水を吸収することができ、自重の約２５倍より多い水を吸収できることが望ましい。
【００４１】
１つの実施形態では、吸収組立体４４は、形状がほぼ長方形であり、木材パルプフラフと超吸収性材料とのブレンドを含む。フラフの好ましい種類の１つは、ＣＲ１６５４という商品名で特定される、米国アラバマ州チルダースバーグのＵ．Ｓ．Ａｌｌｉａｎｃｅから入手可能な、主として軟材繊維を含む漂白された高吸収性の硫酸塩木材パルプである。一般に、超吸収性材料は、吸収組立体４４中に、吸収組立体の総重量の約０から約９０重量パーセントまでの量で存在する。吸収組立体４４は、１立方センチメートル当たり約０．１０から約０．３５グラムまでの範囲内の密度をもつことが適切である。吸収組立体４４は、吸収組立体の一体性及び／又は形状を維持するのに適したティシュラップで包み込むか又は囲んでもよいし、又はそうでなくてもよい。
【００４２】
また、吸収性シャーシ３２は、液体を最初に受け入れ、一時的に収容し、及び／又は移送するように設計された他の材料を、吸収組立体４４と相互に対向する表面に沿って組み入れて、吸収組立体の吸収容量を最大にすることができる。適した材料の１つは、約５０グラム毎平方メートルの坪量を持つ材料を含むサージ層（図示せず）と呼ばれる材料であり、該材料は、ＢＡＳＦ社から市販されているポリエステル芯／ポリエチレン鞘を含む３デニールの二成分繊維６０％と、米国ヴァージニア州ＰｏｒｔｓｍｏｕｔｈのＨｏｅｃｈｓｔ　Ｃｅｌａｎｅｓｅ社から市販されている６デニールのポリエステル繊維４０％との均一ブレンドの通気ボンデッドカーデッドウェブを含む。
【００４３】
既に述べたように、図示されたトレーニングパンツ２０は、吸収性シャーシ３２（図１−図３）の各側部に配置された前側部パネル３４及び背側部パネル１３４を備える。これらの横方向に相対する前側部パネル３４と横方向に相対する背側部パネル１３４は、前面側２２及び後面側２４においてそれぞれ吸収性シャーシ３２の複合構造体３３に恒久的に結合することができ、締結システム８０によって互いに取り外し可能に取り付けられる。より具体的には、図３に最も良く示されるように、前側部パネル３４は、取り付け線６６に沿って、前面側２２上の複合構造体３３の直線状の側縁４７に恒久的に結合され、かつ該側縁を越えて横方向に延びることができ、背側部パネル１３４は、取り付け線６６に沿って、後面側２４上の複合構造体３３の直線状の側縁に恒久的に結合され、かつ該側縁を越えて横方向に延びることができる。側部パネル３４及び１３４は、接着剤、熱結合又は超音波結合のような当業者に周知の取り付け手段を用いて取り付けることができる。側部パネル３４及び１３４はまた、外側カバー又は身体側ライナのような複合構造体３３の構成材の一部として成形することもできる。
【００４４】
側部パネル３４及び１３４の各々は、１つ又はそれ以上の個々の異なる材料部品を含むことができる。例えば、特定の実施形態では、側部パネル３４及び１３４の各々は、シームで接合される第１及び第２側部パネル部分を含むことができ、該部分の少なくとも１つはエラストマー材料を含む（図３参照）。或いは、個々の側部パネル３４及び１３４の各々は、中間の折線（図示せず）に沿って各々の上に折り重ねられる単一の材料部品を含むことができる。
【００４５】
側部パネル３４及び１３４は、トレーニングパンツ２０の横方向軸線４９にほぼ平行な方向に伸ばすことができる弾性材料を含むことが望ましい。特定の実施形態では、前側部パネル３４及び背側部パネル１３４の各々は、遠位縁６８と前又は背中央パネル３５又は１３５との間に配置された内側部分７８を含むことができる。図３に示された実施形態では、内側部分７８は、遠位縁６８と長方形の複合構造体３３の側縁４７との間に配置される。側部パネル３４の弾性材料を内側部分７８に配置して、側部パネルを横方向軸線４９にほぼ平行な方向にエラストマー性にすることができる。各側部パネル３４は、ウエスト端縁７２から脚端縁７０にかけてエラストマー性であることが最も望ましい。より具体的には、ウエスト端縁７２と脚端縁７０との間から横方向軸線４９に平行に取られた、取り付け線６６から遠位縁６８までの長さと約２センチメートルの幅を持つ側部パネル材料の個々のサンプルは、すべてエラストマー性である。
【００４６】
適した弾性材料と、トレーニングパンツに弾性側部パネルを組み入れる記載されたプロセスの１つは、次の米国特許に記載されている。即ち、Ｖａｎ　Ｇｏｍｐｅｌ他に付与された１９９０年７月１０日付けの米国特許第４，９４０，４６４号、Ｐｏｈｊｏｌａに付与された１９９３年７月６日付けの米国特許第５，２２４，４０５号、Ｐｏｈｊｏｌａに付与された１９９２年４月１４日付けの米国特許第５，１０４，１１６号、及びＶｏｇｔ他に付与された１９９１年９月１０日付けの米国特許第５，０４６，２７２号に記載されており、これらのすべては、引用によりここに組み入れられる。特定の実施形態では、弾性材料は、ストレッチ−サーマルラミネート（ＳＴＬ）、ネック−ボンデッドラミネート（ＮＢＬ）、可逆的にネック加工されたラミネート、又はストレッチ−ボンデッドラミネート（ＳＢＬ）材料を含む。そのような材料を作成する方法は、当業者にはよく知られており、Ｗｉｓｎｅｓｋｉ他に付与された１９８７年５月５日付けの米国特許第４，６６３，２２０号、Ｍｏｒｍａｎに付与された１９９３年７月１３日付けの米国特許第５，２２６，９９２号、及び１９８７年４月８日にテイラー他の名前で出願された欧州特許出願第ＥＰ０２１７０３２号に記載されており、これらの特許のすべては引用によりここに組み入れられる。或いは、側部パネル材料は、外側カバー４０又は身体側ライナ４２に適していると上述されたようなその他の織布又は不織材料か、或いは伸ばすことができるが非弾性である材料を含むことができる。
【００４７】
吸収性シャーシ３２と締結システム８０は共に、ウエスト開口部５０と一対の脚開口部５２（図１）を有する再締結可能なパンツを定める。締結システムが係合されるときに、再締結可能なパンツは、ウエスト開口部から各脚開口部まで延びる一対のエラストマーの前側部パネル３４と、ウエスト開口部から各脚開口部まで延びる一対のエラストマーの背側部パネル１３４と、ウエスト開口部から各脚開口部まで延び、かつエラストマーの前側部パネル及び背側部パネルの間に位置決めされる一対の再締結可能なシーム８８（図１）と、前面側２２に配置され、かつエラストマーの前側部パネルの対の間に位置決めされるエラストマーの前ウエストバンド５４と、後面側２４に配置され、かつエラストマーの背側部パネルの対の間に位置決めされるエラストマーの背ウエストバンド５６と、各脚開口部５２を部分的に取り囲む少なくとも一対のエラストマーの脚部材５８とを含むことが理解できる。１つ以上のエラストマーの脚部材５８が各脚開口部５２を部分的に又は完全に取り囲むことがより好ましい。エラストマーの脚部材５８の各々は、隣接する前面側２２のエラストマーの前側部パネル３４から隣接する後面側２４のエラストマーの背側部パネル１３４まで延びる。
【００４８】
本明細書で説明したように、トレーニングパンツ２０の種々の構成材は、接着剤、超音波及び熱結合又はこれらの組み合わせといった種々の形式の適切な取り付け手段を用いて互いに一体に組み立てることができる。結果として得られた製品は、脚開口部５２における快適性、フィット性、及び閉じ込め性が最適化された吸収性衣類である。
説明のために与えられた上記の実施形態の詳細な説明は、本発明の適用範囲を限定するものと解釈されるべきではないことは認識されるであろう。上記では本発明のほんの幾つかの例示的な実施形態について詳細に説明したが、当業者には、本発明の新規な教示及び利点から本質的に逸脱することなく、例示的な実施形態に多くの修正が可能であることが容易に分かるであろう。従って、そのような修正のすべては、特許請求の範囲の請求項とそれらの全ての均等物において定義される本発明の適用範囲内に含まれることを意図している。更に、多くの実施形態は、幾つかの実施形態、特に好ましい実施形態の利点のすべてを達成しないことが考えられることが認識され、また、特定の利点がないことは、そのような実施形態が本発明の適用範囲外にあることを必ずしも意味するとは見なされない。
【図面の簡単な説明】
【図１】吸収性衣類の側面斜視図である。
【図２】吸収性衣類の前面斜視図である。
【図３】一部解体され、平らに広げられた状態の図１及び図２の吸収性衣類の平面図であり、物品の着用時に着用者に面する物品の表面を示し、下にある特徴を示すために部分的に切り取られている。
【図４】本発明の一実施形態に係る、脚弾性体を吸収性衣類に適用するのに使用される装置の一形式の平面図である。
【図５】図４の装置の側面図である。
【図６】本発明の第２の実施形態に係る、脚弾性体を吸収性衣類に適用するのに使用される装置の一形式の平面図である。
【図７】図６の装置の側面図である。
【図８】本発明の第３の実施形態に係る、脚弾性体を吸収性衣類に適用するのに使用される装置の一形式の平面図である。
【図９】図８の装置の側面図である。
【国際公開パンフレット】
2004505726.tif 000003
2004505726.tif 000004
2004505726.tif 000005
2004505726.tif 000006
2004505726.tif 000007
2004505726.tif 000008
2004505726.tif 000009
2004505726.tif 000010
2004505726.tif 000011
2004505726.tif 000012
2004505726.tif 000013
2004505726.tif 000014
2004505726.tif 000015
2004505726.tif 000016
2004505726.tif 000017
2004505726.tif 000018
2004505726.tif 000019
2004505726.tif 000020
2004505726.tif 000021
2004505726.tif 000022
2004505726.tif 000023
2004505726.tif 000024
2004505726.tif 000025
2004505726.tif 000026
2004505726.tif 000027
2004505726.tif 000028
2004505726.tif 000029
2004505726.tif 000030
2004505726.tif 000031
2004505726.tif 000032
2004505726.tif 000033
2004505726.tif 000034
2004505726.tif 000035
2004505726.tif 000036
2004505726.tif 000037
2004505726.tif 000038
【国際公開パンフレット（コレクトバージョン）】
2004505726.tif 000039
2004505726.tif 000040
【国際調査報告】
2004505726.tif 000041
2004505726.tif 000042
2004505726.tif 000043